(57)【要約】【課題】加湿効率を高めることができる加湿装置を提供することを目的とする。【解決手段】空気流路３に送風手段４を設けた本体５、空気流路３に設けた水槽７と、水槽７の貯留水に常に下部を浸し空気流路３内に回転可能に設けられる中空円筒状の加湿フィルター８とを備え、送風手段４を加湿フィルター８の上部に配置し、送風手段４の吐出口１０より供給された空気流を加湿フィルター８の前半分と後半分とに複数回通過させることにより、加湿効率を高めることができる加湿装置を得られる。【選択図】図１
2007085575.tif 000002
【特許請求の範囲】
【請求項１】
吸込口と吹出口を連通し形成された空気流路に送風手段を設けた本体と、この本体に設けた給水タンクから一定水位に保たれるように給水される前記空気流路に設けた水槽と、この水槽の貯留水に常に下部を浸し、前記空気流路内に水平方向に回転可能に軸支される中空円筒状の加湿フィルターと、この加湿フィルターを連続回転する回転手段とを備え、前記送風手段の回転軸と前記加湿フィルターの回転軸を平行に設けるとともに、前記送風手段を前記加湿フィルターの上部に配置し、前記送風手段の吐出口より供給された空気流を前記加湿フィルターの前半分と後半分とに複数回通過させる構成とした加湿装置。
【請求項２】
送風手段の吐出口内に空気加熱手段を設けた請求項１記載の加湿装置。
【請求項３】
空気加熱手段を風向分布に沿うように傾けて設置した請求項２記載の加湿装置。
【請求項４】
送風手段の軸芯より加湿フィルターの回転軸を吹出口より後方側に設けてチャンバー部を形成した請求項１または２記載の加湿装置。
【請求項５】
ファンケーシングの下部に加湿フィルターの外周を近づけて構成した請求項１または２記載の加湿装置。
【請求項６】
ファンケーシングの舌部に加湿フィルターの外周を近づけて構成した請求項１または２記載の加湿装置。
【請求項７】
送風手段の吹出口の幅寸法に対し、加湿フィルターの幅寸法を１〜２倍とした請求項１または２記載の加湿装置。
【請求項８】
送風手段の主板側に加湿フィルターの中心をずらして配置した請求項７記載の加湿装置。
【発明の詳細な説明】
【技術分野】
【０００１】
本発明は、送風手段から送られる空気流を円筒状の加湿フィルターを通して加湿する加湿装置に関する。
【背景技術】
【０００２】
従来、この種の加湿装置の一例としてヒーターで加熱した空気を水分を含んだ気化フィルターに通して加湿する加湿器が知られている（例えば、特許文献参照）。
【０００３】
以下、その加湿器について図７を参照しながら説明する。
【０００４】
図に示すように、気化フィルター１０１は、全面に小孔が明けられた吸水性の良いシート状の素材をプリーツ折りしたもので、全体が縦長角形に形成されており、その下端部が水槽部１０２内の水に浸漬され、送風装置１０３より送られた空気流をヒーター１０４で加熱し、加熱された空気流を気化フィルター１０１に送風して加湿を行う構成としている。
【特許文献１】特開２００３−３０２０７７号公報（［００４１］〜［００４３］、図１）
【発明の開示】
【発明が解決しようとする課題】
【０００５】
このような従来の加湿器では、気化フィルター１０１は温風が１回だけ通過するものであるため、温風との接触面積が小さく加湿効率が悪いという課題があり、加湿効率を高めることか要求されている。
【０００６】
本発明は、このような従来の課題を解決するものであり、加湿効率を高めることができる加湿装置を提供することを目的としている。
【課題を解決するための手段】
【０００７】
本発明の加湿装置は上記目的を達成するために、吸込口と吹出口を連通し形成された空気流路に送風手段を設けた本体と、この本体に設けた給水タンクから一定水位に保たれるように給水される前記空気流路に設けた水槽と、この水槽の貯留水に常に下部を浸し前記空気流路内に水平方向に回転可能に軸支される中空円筒状の加湿フィルターと、この加湿フィルターを連続回転する回転手段とを備え、前記送風手段の回転軸と前記加湿フィルターの回転軸を平行に設けるとともに、前記送風手段を前記加湿フィルターの上部に配置し、前記送風手段の吐出口より供給された空気流を前記加湿フィルターの前半分と後半分とに複数回通過させる構成としたものである。
【０００８】
この手段により、加湿効率を高めることができる加湿装置が得られる。
【０００９】
また、他の手段は、送風手段の吐出口内に空気加熱手段を設けた構成としたものである。
【００１０】
この手段により、省スペースで加湿能力を向上することができる加湿装置が得られる。
【００１１】
また、他の手段は、空気加熱手段を風向分布に沿うように傾けて設置したものである。
【００１２】
この手段により、圧力損失を低減し、騒音値を下げることができる加湿装置が得られる。
【００１３】
また、他の手段は、送風手段の軸芯より加湿フィルターの回転軸を吹出口より後方側に設けてチャンバー部を形成したものである。
【００１４】
この手段により、加湿フィルターへの風速分布を均一化して加湿能力を向上できる加湿装置が得られる。
【００１５】
また、他の手段は、ファンケーシングの下部に加湿フィルターの外周を近づけて構成したものである。
【００１６】
この手段により、製品のコンパクト化および加湿効率を向上できる加湿装置が得られる。
【００１７】
また、他の手段は、ファンケーシングの舌部に加湿フィルターの外周を近づけて構成したものである。
【００１８】
この手段により、製品のコンパクト化および加湿効率を向上することができる加湿装置が得られる。
【００１９】
また、他の手段は、送風手段の吐出口の幅寸法に対し、加湿フィルターの幅寸法を１〜２倍としたものである。
【００２０】
この手段により、加湿効率を向上することができる加湿装置が得られる。
【００２１】
また、他の手段は、送風手段の主板側に加湿フィルターの中心をずらして配置したものである。
【００２２】
この手段により、加湿効率を向上することができる加湿装置が得られる。
【発明の効果】
【００２３】
本発明によれば、加湿効率を高めることができるという効果のある加湿装置を提供できる。
【００２４】
また、省スペース化を図ることができるという効果のある加湿装置を提供できる。
【００２５】
また、騒音を低減することができるという効果のある加湿装置を提供できる。
【００２６】
また、製品のコンパクト化を図ることができるという効果のある加湿装置を提供できる。
【発明を実施するための最良の形態】
【００２７】
本発明の請求項１記載の発明は、吸込口と吹出口を連通し形成された空気流路に送風手段を設けた本体と、この本体に設けた給水タンクから一定水位に保たれるように給水される前記空気流路に設けた水槽と、この水槽の貯留水に常に下部を浸し、前記空気流路内に水平方向に回転可能に軸支される中空円筒状の加湿フィルターと、この加湿フィルターを連続回転する回転手段とを備え、前記送風手段の回転軸と前記加湿フィルターの回転軸を平行に設けるとともに、前記送風手段を前記加湿フィルターの上部に配置し、前記送風手段の吐出口より供給された空気流を前記加湿フィルターの前半分と後半分とに複数回通過させる構成としたものであり、送風手段により吹出した空気流が加湿フィルターの前半面と後半面を２回通過させることにより、加湿フィルターへの水分付着量が多少ばらついても、加湿量を安定して供給できるという作用を有する。
【００２８】
また、請求項２記載の発明は、送風手段の吐出口内に空気加熱手段を設けたものであり、空気加熱手段の設置スペースを余分に確保することなく、省スペースで温風を供給して加湿能力を向上することができるという作用を有する。
【００２９】
また、請求項３記載の発明は、空気加熱手段を風向分布に沿うように傾けて設置したものであり、風の流れをスムーズにし、圧力損失を低減し騒音値を下げるという作用を有する。
【００３０】
また、請求項４記載の発明は、送風手段の軸芯より加湿フィルターの回転軸を吹出口より後方側に設けてチャンバー部を形成したものであり、軸芯をずらすことにより高さ方向に軸を近づけて製品高さを低くでき、また、チャンバー部により加湿フィルターの入口側で送風分布や温度分布を改善して加湿能力を向上できるという作用を有する。
【００３１】
また、請求項５記載の発明は、ファンケーシングの下部に加湿フィルターの外周を近づけて構成したものであり、加湿フィルター上部をファンケーシングの下部にもぐりこませることにより、デッドスペースを無くし、製品をコンパクトにできるとともに、加湿フィルター上部を通過する風の短絡を防ぎ、加湿効率が向上するという作用を有する。
【００３２】
また、請求項６記載の発明は、ファンケーシングの舌部に加湿フィルターの外周を近づけて構成したものであり、加湿フィルターの上部を舌部で覆うことにより、加湿フィルター上部を通過する風の短絡を防ぎ、加湿効率が向上するという作用を有する。
【００３３】
また、請求項７記載の発明は、送風手段の吐出口の幅寸法に対し、加湿フィルターの幅寸法を１〜２倍に構成したものであり、送風手段から吐出される気流が加湿フィルターに満遍なく供給されるので、加湿効率が向上するという作用を有する。
【００３４】
また、請求項８記載の発明は、送風手段の主板側に加湿フィルターの中心をずらして配置したものであり、風速分布大なる送風手段の主板側に加湿フィルターを寄せることにより、加湿フィルターの中心に大風量が通過するので、加湿効率が向上するという作用を有する。
【００３５】
以下、本発明の実施の形態について図面を参照しながら説明する。
【００３６】
（実施の形態１）
図１および図２に示すように、吸込口１と吹出口２を連通し、形成される空気流路３に送風手段４を設けた本体５と、本体５に設けた給水タンク６から一定水位に保たれるように給水される空気流路３に設けた水槽７と、水槽７の貯留水に常に下部を浸し、前記空気流路３内に水平方向に回転可能に軸支される中空円筒状の加湿フィルター８と、加湿フィルター８を連続回転する回転手段９と送風手段４の吐出口１０内に風向分布に沿うように傾けて設けられる空気加熱手段１１とを備え、送風手段４の送風用回転軸１２と加湿フィルター８の回転軸１３を平行に設けるとともに、送風手段４を加湿フィルター８の上部に配置し、送風手段４の軸芯より加湿フィルター８の回転軸１３を吹出口２より後方側に設けてチャンバー部１４を形成し、送風手段４の吐出口１０より供給された空気流を加湿フィルター８の前半分と後半分とに複数回通過させるように構成する。
【００３７】
また、加湿フィルター８の外径寸法Ｄに対して、横巾寸法ＷＡを略同一寸法としている。
【００３８】
上記構成において、加湿装置を運転すると、送風手段４により吸込口１から吸い込み空気流路３を通り吹出口２に流れる空気流が空気加熱手段１１により加熱され温風となり、水槽７に下部を浸し、回転手段９により回転している加湿フィルター８に向かい送風され、加湿フィルター８の前半分を通り加湿フィルター８に含まれている水分を気化し、さらに、加湿フィルター８の後半分を通るときにも加湿フィルター８に含まれる水分が気化され加湿が行われる。このとき加湿フィルター８の外径寸法Ｄは横巾寸法ＷＡと略同一であるので、限定されたスペースで、加湿フィルター８の通過面積を最大化することができ、加湿量を増やせるようにしている。
【００３９】
このように実施の形態１によれば、吸込口１と吹出口２を連通し形成された空気流路３に送風手段４を設けた本体５と、本体５に設けた給水タンク６から一定水位に保たれるように給水される空気流路３に設けた水槽７と、水槽７の貯留水に常に下部を浸し、前記空気流路３内に水平方向に回転可能に軸支される中空円筒状の加湿フィルター８と、加湿フィルター８を連続回転する回転手段９とを備え、前記送風手段４の送風用回転軸１２と加湿フィルター８の回転軸１３を平行に設けるとともに、送風手段４を加湿フィルター８の上部に配置し、送風手段４の吐出口１０より供給された空気流を加湿フィルター８の前半分と後半分とに複数回通過させる構成としたので、送風手段４により吹き出した空気流が加湿フィルター８の前半分と後半分を２回通過させることにより、加湿フィルターの前後の水分付着量が多少ばらついても、加湿量を安定して供給することができ、加湿効率を向上することができる。
【００４０】
また、送風手段４の吐出口１０内に空気加熱手段１１を設けたので、空気加熱手段１１の設置スペースを余分に確保する必要がなくなり、省スペースで温風を供給して、加湿能力を向上することができることとなる。
【００４１】
また、空気加熱手段１１を送風手段４の風向分布に沿うように傾けて設けたので、送風手段４の風の流れをスムーズにすることができ、圧力損失を低減し、騒音値も下げることとなる。
【００４２】
また、送風手段４の軸芯より加湿フィルター８の回転軸１３を吹出口２より後方側に設けチャンバー部１４を形成したので、軸芯をずらすことにより高さ方向に送風用の回転軸１２と加湿フィルター８の回転軸１３を近づけて製品高さを低くすることができ、また、チャンバー部１４を確保できるので、加湿フィルター８の入口側で送風分布や温度分布を改善して加湿能力を向上することができることとなる。
【００４３】
（実施の形態２）
図３に示すように、ファンケーシング１５の下部に加湿フィルター８Ａの外周を近づけて構成する。
【００４４】
上記構成において、加湿フィルター８Ａの上部を送風手段４のファンケーシング１５の下部にもぐりこませることにより、ファンケーシング１５と加湿フィルター８Ａ間のデッドスペースが無くなり、製品をコンパクトに出来るとともに、加湿フィルター８Ａの上部を通過する風の短絡が防止され、加湿効率を向上することができることとなる。
【００４５】
（実施の形態３）
図４に示すように、ファンケーシング１５Ａの舌部１６に加湿フィルター８Ｂの外周を近づけて構成する。
【００４６】
上記構成において、加湿フィルター８Ｂの上部をファンケーシング１５Ａの舌部１６で覆うことにより、加湿フィルター８Ｂの上部を通過する空気流の短絡が防止され、加湿効率が向上されることとなる。
【００４７】
（実施の形態４）
図５に示すように、送風手段４Ａの幅寸法Ｗに対し、加湿フィルター８Ｃの幅寸法ＷＡを１〜２倍に構成する。
【００４８】
上記構成においては、送風手段４Ａから吐出される空気流が加湿フィルター８Ｃに満遍なく供給されることとなり、加湿効率が向上することとなる。
【００４９】
（実施の形態５）
図６に示すように、送風手段４Ｂの主板１７側に加湿フィルターの中心１８をずらして配置した構成とする。
【００５０】
上記構成においては、風速分布の最大風速となる送風手段４Ｂの主板１７側に加湿フィルター８Ｄを寄せて設けることにより、加湿フィルター８Ｄの中心に最大風速の空気流が流れ、加湿効率が向上することとなる。
【産業上の利用可能性】
【００５１】
空気加熱手段を使用しない状態で、水分を含み回転するように設けた加湿フィルターを用いることにより、冷風を送風できる水冷扇の用途にも適用できる。
【図面の簡単な説明】
【００５２】
【図１】本発明の実施の形態１の加湿装置の側面断面図
【図２】同加湿装置の正面断面図
【図３】本発明の実施の形態２の加湿装置の側面断面図
【図４】本発明の実施の形態３の加湿装置の側面断面図
【図５】本発明の実施の形態４の加湿装置の正面断面図
【図６】本発明の実施の形態５の加湿装置の正面断面図
【図７】従来の加湿器の断面図
【符号の説明】
【００５３】
１      吸込口
２      吹出口
３      空気流路
４      送風手段
４Ａ    送風手段
４Ｂ    送風手段
５      本体
６      給水タンク
７      水槽
８      加湿フィルター
８Ａ    加湿フィルター
８Ｂ    加湿フィルター
８Ｃ    加湿フィルター
８Ｄ    加湿フィルター
９      回転手段
１０    吐出口
１１    空気加熱手段
１２    送風用回転軸
１３    回転軸
１４    チャンバー部
１５    ファンケーシング
１５Ａ  ファンケーシング
１６    舌部
１７    主板
１８    加湿フィルターの中心
【図１】
2007085575.tif 000003
【図２】
2007085575.tif 000004
【図３】
2007085575.tif 000005
【図４】
2007085575.tif 000006
【図５】
2007085575.tif 000007
【図６】
2007085575.tif 000008
【図７】
2007085575.tif 000009